(57)【要約】【課題】複雑な機構を設けることなく、自由に風向を変更できる送風装置を提供することを目的とする。【解決手段】外郭形状が略球形状の筐体１２に、空気流を発生させるファンモータ１９と、空気を取り入れる吸込口１６と、空気を吹き出すための吹出口２０を備えたボール型ファン１３と、ボール型ファン１３を載せて設置できる卓上設置台１４を分離可能にしたことにより、ボール型ファン１３を卓上設置台１４に載せる角度によって上下左右、自由に風向を変更することができるため、送風装置をコンパクト化でき、且つ、使い勝手の良い送風装置を提供できる。【選択図】図１
2014005787.tif 000002
【特許請求の範囲】
【請求項１】
外郭形状が略球形状の筐体に、空気流を発生させるファンモータと、空気を取り入れる吸込口と、空気を吹出すための吹出口を備えたボール型ファンと、前記ボール型ファンを載せて設置できる卓上設置台を備え、前記ボール型ファンと前記卓上設置台を分離可能にしたことを特徴とする送風装置。
【請求項２】
前記卓上設置台は、外部に向かって開口する外部開口部を少なくとも１箇所以上備え、前記ボール型ファンの前記筐体の外表面を環状に接触させて支持する支持面と、前記支持面の内側に開口する支持面開口部を備え、前記外部開口部と前記支持面開口部が連通する設置台風路を備えたことを特徴とする請求項１記載の送風装置。
【請求項３】
前記卓上設置台は、前記ボール型ファンを載せた際に、前記筐体の外表面を不連続に接触させて支持する支持面と、外部と連通した隙間を設けたことを特徴とする請求項１記載の送風装置。
【請求項４】
前記卓上設置台は、前記ボール型ファンを設置する高さを変更できる高さ調整手段を備えたことを特徴とする請求項１から３のいずれか１項に記載の送風装置。
【請求項５】
前記卓上設置台は略水平方向に回転自在としたことを特徴とする請求項１から４のいずれか１項に記載の送風装置。
【請求項６】
前記外部開口部又は前記設置台風路又は支持面開口部に着脱可能なフィルターを備えたことを特徴とする請求項２または４または５のいずれか１項に記載の送風装置。
【請求項７】
前記卓上設置台は、着脱可能で且つ通風可能な網目状のネットを備え、前記ボール型ファンの筐体の外表面と前記ネットが接触して支持するようにしたことを特徴とする請求項３から５のいずれか１項に記載の送風装置。
【請求項８】
前記ボール型ファンは、前記吹出口を環形状とし、ファンモータから前記吹出口に導く第一風路と、前記吹出口から吹き出す空気に誘引されて空気を吸込む複数の誘引空気吸込口と、複数の前記誘引空気吸込口に吸い込まれた空気を混合する誘引空気混合部と、誘引された空気を吹き出す誘引空気吹出口と、前記誘引空気吸込口と前記誘引空気混合部と前記誘引空気吹出口を連通する第二風路を備えたことを特徴とする請求項１から７のいずれか１項に記載の送風装置。
【発明の詳細な説明】
【技術分野】
【０００１】
本発明は、居室内の机上や床面に設置され、直接気流による体感温度の減少や室内の空気の循環に使用される扇風機や天井扇などの送風装置に関するものである。
【０００２】
また、内部にヒーター等の熱源を設けて温風を送風できる温風機に関するものである。
【背景技術】
【０００３】
従来、この種の送風装置は、プロペラファンによって空気の流れを発生させる扇風機が知られている。（例えば、特許文献１参照）。
【０００４】
以下、その扇風機について図９を参照しながら説明する。
【０００５】
図９は、扇風機の送風角度調節機構を示す側面図を示す。
【０００６】
図９に示すように、羽根車１０１と、羽根車１０１を回転させるモータ１０２を備えた送風部１０３は、俯仰方向に送風部１０３を傾斜させる上下角度調節機構１０４と、水平方向に送風部１０３を回動させる左右首振り機構１０５を介して本体支柱１０６に保持されている。
【０００７】
上下角度調節機構１０４は、水平方向の水平回転軸１０７とアーム１０８により構成され、アーム１０８及び送風部１０３の一部が本体支柱１０６に干渉しない範囲で手動により風向調整が可能である。
【０００８】
また、左右首振り機構１０５は、鉛直方向の鉛直回転軸１０９と、モータ出力軸１１０を有する首振り用モータ１１１と、モータ出力軸１１０と鉛直回転軸１０９を連結するリンク機構１１２により構成され、首振り用モータ１１１の回転によって送風部１０３が左右首振り運動を行うようになっている。
【０００９】
また、別の従来例として、ファンモータを台座となるスタンドに内包して、スタンド上部に備えられた円環形状の環状ノズルから床面と水平方向に吹き出すようにして空気の循環及び空気の流れを生じさせる家庭用送風装置（一般に羽根無し扇風機と呼ばれる）が知られている。（例えば、特許文献２及び３参照）。
【００１０】
以下、その送風装置について図１０、図１１、図１２を参照しながら説明する。
【００１１】
図１０は送風機組立体の側面断面図を示し、図１２は俯仰方向の風向変更の様子を示し、図１３は風向変更機構の構成を示す。
【００１２】
図１０に示すように、送風機組立体２０１は、スタンド２０２の上方に中央開口部２０３を画定している環状ノズル２０４を有している。スタンド２０２の内部には環状ノズル２０４を通る空気流を生じさせるファンモータ２０５が配置されている。ファンモータ２０５を動作させると環状ノズル２０４から空気流が送風され、その際、中央開口部２０３の周辺の空気を巻き込みながら環状ノズル２０４の吹き出し方向に送風することができるようになっている。
【００１３】
また、風向を変更させるために、スタンド２０２の底面近傍に水平方向に環状ノズル２０４を回動させて風向を変更するための左右首振り機構２０６を有している。左右首振り機構２０６は、首振り用モータ２０７（図示せず）とクランクアーム機構２０８（図示せず）からなり、首振り用モータ２０７の回転をクランクアーム機構２０８によって首振り運動に変換し、環状ノズル２０４の向きを変えて風向を変更できるようになっている。
【００１４】
更に、上下方向の風向変更については、図１１及び図１２に示すように、環状ノズル２０４を俯仰方向に傾斜できるような機構を設けることで実現している。具体的には、スタンド２０２に湾曲状のスライド機構２０９を有し、設計的に設定されたスライド量によって俯仰方向の傾斜角度が決定されるようになっており、概ね１０度まで傾斜させられるようになっている。
【００１５】
また、別の一例として、送風吹出口にルーバーを設置して、ルーバーにより風向を変更できる温風機が知られている。（例えば、特許文献４参照）。
【００１６】
以下、その温風機について、図１３を参照しながら説明する。
【００１７】
図１３は、温風機に設けたルーバーの構成を示す斜視図を示している。
【００１８】
図１３に示すように、温風機本体３０１は、内部に空気流を生じさせるファンモータ３０２と、空気温度を高める熱源としてのバーナー３０３を有し、温風機本体３０１の下部には、バーナー３０３に供給する燃料を貯蔵するタンク３０４が設けられている。また、温風機本体３０１の背面に外気吸込口３０５、温風機本体３０１の前面に温風吹出口３０６を有し、温風吹出口３０６から送出される温風の風向を変更するルーバー機構３０７が設けられている。
【００１９】
ルーバー機構３０７は、温風吹出口３０６を覆うように複数平行に設置した長尺状の風向変更板３０８と、風向変更板３０８を保持するリング部３０９と、風向変更板３０８の長手方向を回転軸として傾斜角度を変更するための操作ノブ３１０で構成されている。更に、リング部３０９は、温風吹出口３０６に回転可能に保持されていることで、操作ノブ３１０でリング部３０９を回転させれば、風向変更板３０８の傾斜方向が変えられるようになっている。
【００２０】
例えば、温風の吹き出し方向を鉛直方向に変えたい場合は、操作ノブ３１０によって風向変更板３０８の長手方向が水平になるようにリング部３０９を回転させ、風向変更板３０８の傾斜角度を変更することで上下に風向を変更することができる。
【００２１】
また、温風の吹き出し方向を水平方向に変えたい場合は、操作ノブ３１０によって風向変更板３０８の長手方向が鉛直になるようにリング部を回転させ、風向変更板３０８の傾斜角度を変更することで、左右に風向を変更することができる。
【先行技術文献】
【特許文献】
【００２２】
【特許文献１】特開２００１−２７１９７号公報
【特許文献２】特開２０１０−２０３４５０号公報
【特許文献３】特許第４９４４２８５号公報
【特許文献４】特開２００９−１９８０３号公報
【発明の概要】
【発明が解決しようとする課題】
【００２３】
このように外部に向かって一方向に気流を吹き出す従来の送風装置は、上下左右に風向を変更させるために複雑な機構を設ける必要があり、装置が大型化するという課題がある。また、機構を用いて風向を変更する場合、風向角度の変更範囲が限定されるため、使い勝手が悪くなってしまうという課題がある。
【００２４】
そこで本発明は、上記従来の課題を解決するものであり、複雑な機構を設けることなく、自由に風向を変更できる送風装置を提供することを目的とする。
【課題を解決するための手段】
【００２５】
そして、この目的を達成するために、本発明は、外郭形状が略球形状の筐体に、空気流を発生させるファンモータと、空気を取り入れる吸込口と、空気を吹出すための吹出口
を備えたボール型ファンと、ボール型ファンを載せて設置できる卓上設置台を分離可能にしたことを特徴とする送風装置としたものであり、これにより所期の目的を達成するものである。
【発明の効果】
【００２６】
本発明によれば、外郭形状が略球形状の筐体に、空気流を発生させるファンモータと、空気を取り入れる吸込口と、空気を吹出すための吹出口を備えたボール型ファンと、ボール型ファンを載せて設置できる卓上設置台を分離可能にしたことにより、ボール型ファンを卓上設置台に載せる角度によって上下左右、自由に風向を広く変更することができる。
これにより、風向を変更するために複雑な機構を設けることなく、送風装置をコンパクト化できるという効果がある。
【００２７】
更に、風向変更範囲が広く、自由に風向を変更することができるため、使い勝手の良い送風装置を提供できるという効果がある。
【図面の簡単な説明】
【００２８】
【図１】本発明の実施の形態１の送風装置の部分断面斜視図
【図２】同送風装置の構成を示す断面図
【図３】（ａ）同送風装置の風向変更の一例を示す斜視図、（ｂ）同送風装置の風向変更の他の一例を示す斜視図、（ｃ）同送風装置の風向変更の他の一例を示す斜視図
【図４】本発明の実施の形態２の送風装置の卓上設置台の構成を示す斜視図
【図５】本発明の実施の形態３の送風装置の卓上設置台の構成を示す斜視図
【図６】本発明の実施の形態４の送風装置の部分断面斜視図
【図７】本発明の実施の形態５の送風装置の卓上設置台の構成を示す斜視図
【図８】本発明の実施の形態６の送風装置の卓上設置台の構成を示す斜視図
【図９】従来技術の扇風機の一例を示す断面図
【図１０】従来技術の羽根無し扇風機一例を示す断面図
【図１１】同羽根無し扇風機の風向変更の様子を示す側面図
【図１２】同羽根無し扇風機の風向変更機構を示す斜視図
【図１３】従来技術の温風機一例を示す斜視図
【発明を実施するための形態】
【００２９】
本発明の請求項１記載の送風装置は、外郭形状が略球形状の筐体に、空気流を発生させるファンモータと、空気を取り入れる吸込口と、空気を吹出すための吹出口を備えたボール型ファンと、前記ボール型ファンを載せて設置できる卓上設置台を分離可能にしたことを特徴とするものである。
【００３０】
これにより、ボール型ファンを卓上設置台に載せる位置や角度によって上下左右、自由に風向を広く変更することができるため、風向を変更するために複雑な機構を設けることなく、送風装置をコンパクト化でき、使い勝手の良い送風装置を提供できる。
【００３１】
また、卓上設置台は、外部に向かって開口する開口部を少なくとも１箇所以上備え、前記ボール型ファンの筐体の外表面を環状に接触させて支持する支持面と、支持面の内側に開口する支持面開口部を備え、外部開口部と支持面開口部が連通する設置台風路を備えたことを特徴とするものであり、ボール型ファンの吸込口が卓上設置台の支持面に重なる位置に設置した場合であっても、外部開口部から外気を取り入れ、設置台風路を経由して支持面開口部へ流入させ、吸込口へ空気を送ることができる。これにより、圧力損失の上昇を抑制し、送風性能の低下を抑制することができる。
【００３２】
また、卓上設置台は、ボール型ファンを載せた際に、筐体の外表面を不連続に接触させて支持する支持面と、外部と連通した隙間を設けたことを特徴とするものであり、ボール型ファンの吸込口が卓上設置台の支持面に重なる位置に設置した場合であっても、支持面が不連続であるために支持面以外の場所に存在する外部と連通させた隙間から外気を取り入れて吸込口に空気を送ることができる。これにより、圧力損失の上昇を抑制し、送風性能の低下を抑制することができる。ゆえに、ボール型ファンを卓上設置台に載せる位置や角度に関わらず所定の送風性能が得られるため、自由に載せ方を変更して風向を変更することができ、複雑な機構を設けることなく、送風装置をコンパクト化できる。更に、風向変更範囲が限定されず、自由に風向を変更することができるため、使い勝手の良い送風装置を提供できる。
【００３３】
また、卓上設置台は、ボール型ファンを設置する高さを変更できる高さ調整手段を備えたことを特徴とするものであり、上下左右の風向だけでなく、吹出口の高さ位置も変更できることから、使用者の好みに合わせた吹出方向・位置の風が得られるため、使い勝手の良い送風装置を提供できる。
【００３４】
また、卓上設置台は略水平方向に回転自在としたことを特徴としたものであり、ボール型ファンを卓上設置台に載せたまま、卓上設置台が回転する方向に風向を変更できるため、使い勝手の良い送風装置を提供できる。
【００３５】
また、開口部又は設置台風路又は支持面開口部に着脱可能なフィルターを備えたことを特徴とするものであり、外部開口部から取り入れた外気をフィルターによって浄化することにより、ファンモータへの汚れ付着を抑制でき、送風性能が低下しにくい送風装置を提供できる。更に、フィルターは着脱可能とすることで、容易にメンテナンスでき、使い勝手の良い送風装置を提供できる。
【００３６】
また、卓上設置台は、着脱可能で且つ通風可能な網目状のネットを備え、ボール型ファンの筐体の外表面とネットが接触して支持するようにしたことを特徴としたものであり、ボール型ファンの吸込口がネットにかかる位置に設置した場合であっても、その接触面は網目状で隙間があるため、外気をネットの隙間から吸込口へ送ることができるため、圧力損失の上昇を抑制し、送風性能が低下しにくい送風装置を提供できる。更に、ネットを通過する際に外気に含まれる埃等を捕集できるため、ファンモータへの汚れ付着を抑制することで送風性能が低下しにくい送風装置を提供できる。また、ネットは着脱可能とすることで、容易にメンテナンスでき、使い勝手の良い送風装置を提供できる。
【００３７】
また、ボール型ファンは、吹出口を環形状とし、ファンモータから吹出口に導く第一風路と、吹出口から吹き出す空気に誘引されて空気を吸込む複数の誘引空気吸込口と、複数の誘引空気吸込口に吸い込まれた空気を混合する誘引空気混合部と、誘引された空気を吹き出す誘引空気吹出口と、誘引空気吸込口と誘引空気混合部と誘引空気吹出口を連通する第二風路を備えたことを特徴とするものであり、複数の誘引空気吸込口から誘引された空気は、誘引空気混合部で混合され、誘引空気吹出口の方向に流れを変更された状態で誘引空気吹出口からまとまった状態で吹出されるため、吹出された空気は中心部にコア領域が形成されるため直進性に優れ、遠方まで風速の減衰が少なく到達する気流を効率よく生み出すことができる送風装置を提供できる。
【００３８】
以下、本発明の実施の形態について図面を参照しながら説明する。
【００３９】
（実施の形態１）
図１に本発明の実施の形態１の送風装置を示す部分断面斜視図を、図２に本発明の実施の形態１の送風装置の構成を示す断面図を示す。
【００４０】
図１及び図２に示すように、送風装置１１は、筐体１２が略球形状のボール型ファン１３と、ボール型ファン１３を載せて設置できる卓上設置台１４より構成している。
【００４１】
ボール型ファン１３の筐体１２は、外壁１５ａと内壁１５ｂの二重壁を備え、空気を取り入れる吸込口１６と、高圧空気を発生するためのファン１７とファン１７を駆動するためのモータ１８で構成されたファンモータ１９と、高圧空気を吹き出すための環形状の吹出口２０と、高圧空気をファン１７から吹出口２０に導く第一風路２１と、吹出口２０から吹き出す空気に誘引されて空気を吸い込む複数（本実施形態では６個）の誘引空気吸込口２２と、複数の誘引空気吸込口２２に吸い込まれた空気を混合する誘引空気混合部２３と、誘引された空気を吹き出す誘引空気吹出口２４と、誘引空気吸込口２２と誘引空気混合部２３と誘引空気吹出口２４を連通する第二風路２５で構成されるものである。
【００４２】
また、第二風路２５は第一風路２１を貫通壁２６で貫通するように備えられ、第一風路２１は外壁１５ａと内壁１５ｂと貫通壁２６で構成され、第二風路２５は内壁１５ｂと貫通壁２６で構成され、誘引空気吹出口２４は吹出口２０の内環を構成する内壁１５ｂに囲まれて構成されるものである。
【００４３】
ここで、複数の誘引空気吸込口２２は吹出口２０の軸中心から放射状に備えられており、吸込口１６と吹出口２０が対向する位置に筐体１２の球形状の中心を通る同軸上に備えられた構成となっている。また、本実施形態では筐体１２を球形状で表したが、筐体１２の形状としては特にこれに限定されるものではなく、卓上設置台１４に載せた際に、自由に向きを変えられる形状であれば良く、例えば、つぼ型、半球形状、アーモンド形状などであっても良い。また、環形状とは円に限定されるものではなく、環になっていれば多角形や曲線で構成された形状であってもよい。また環形状は性能に影響が出ない範囲であればリブなどにより部分的に途切れることがあっても問題はない。また、本発明によれば、誘引空気吸込口２２を設けず、ファンモータ１９によって吸込口１６から吹出口２０へ高圧空気を送風する構成であっても良い。
【００４４】
一方、卓上設置台１４は、ボール型ファン１３と分離可能に構成しており、それぞれ独立している。
【００４５】
卓上設置台１４は、図１に示すように、ボール型ファン１３を載せて置いた際、筐体１２の外表面を環状に接触して支持できるように、一例として外形形状を円筒形とした支持部２７の上面に、円形状の支持面２８を有し、支持部２７の下方に支持部２７を保持する基部２９で構成している。支持面２８の形状は、円形に限定するものではなく、筐体１２の外表面と３箇所以上で接触できれば、多角形状などであっても良い。
【００４６】
支持面２８は、ボール型ファン１３の筐体１２の外表面と同一曲面とし、面接触するように構成した場合、支持面２８が吸込口１６と重なる位置に設置した際、支持部２７に開口がない場合、吸込口１６を閉塞してしまうため、支持面２８の面積はできる限り小さい方が良く、吸込口１６面積の２０％以下とすることが望ましい。また、支持面２８は、筐体１２の外表面と環状に線接触するようにしても良い。
【００４７】
支持部２７は、図２に示すように、鉛直下向きに突出した回転軸３０を設け、基部２９は、回転軸３０を挿入して保持する軸受３１を設けることで、基部２９に対して支持部２７を回転自在に構成している。
【００４８】
支持部２７は、図１に示すように、支持部２７の側面に外部に向かって開口した外部開口部３２と、支持面２８の内側に外部に開口した支持面開口部３３を有し、外部開口部３２と支持面開口部３３を連通させるように設置台風路３４を構成している。外部開口部３２、及び支持面開口部３３の形状は円形、多角形等であっても良く、外観のデザイン性を考慮した幾何学形状であっても良い。
【００４９】
また、外部開口部３２、及び支持面開口部３３の開口面積は、通風時の圧力損失にならない様に可能な限り大きくした方が良く、望ましくは、支持面２８の外形がボール型ファン１３の吸込口１６より大きい場合は外部開口部３２の開口面積を吸込口１６の開口面積と同等以上とし、支持面２８の外形がボール型ファン１３の吸込口１６より小さい場合は、支持面２８によって吸込口１６を閉塞する面積の８０％以上であると良い。また、外部開口部３２は１箇所に限らず、複数箇所に設けても良い。
【００５０】
また、外部開口部３２に空気中の粉塵等を捕集するフィルター３５を嵌め合わせ構造等により着脱可能に設置している。フィルター３５は一例として不織布で製作され、付着したアレルゲンを不活化させる作用や、カビや菌等を除去する作用を付加させても良い。また、フィルター３５は着脱可能としているため、定期清掃や交換等のメンテナンスが容易な構成としている。
【００５１】
更に、支持面２８の高さ位置を変えることで卓上設置台１４に載せたボール型ファン１３の設置高さを変更できるように高さ調整手段３６（一例としてスライド構造として伸縮自在としたポール）を設けている。
【００５２】
次に、ボール型ファン１３の送風方法について図２を用いて説明する。
【００５３】
ボール型ファン１３の内部に設けたファンモータ１９を駆動させて空気流を発生させると、吸込口１６から外気を取り入れてファン１７で昇圧し、高圧空気となった気流は、実線矢印で示すように、第一風路２１を通過して吹出口２０から送風される。このとき、環状の吹出口２０の内側は負圧となるため、点線矢印で示すように、誘引空気吸込口２２から外気が誘引され、誘引された空気は第二風路２５を通過して誘引空気吹出口２４から送風される。
【００５４】
このとき、複数の誘引空気吸込口２２から誘引された空気は第二風路２５中に設けた誘引空気混合部２３で混合され、誘引空気吹出口２４の方向に流れを変更された状態で誘引空気吹出口２４からまとまった状態で吹出されるため、吹出された空気は中心部にコア領域が形成されるため直進性に優れ、遠方まで風速の減衰が少なく到達する気流を効率よく生み出すことができる。ここで、高圧空気とは大気圧以上の空気を示すものとする。
【００５５】
誘引空気吸込口２２の位置としては吹出口２０よりファン１７に近い位置に配した方が誘引空気混合部２３を大きくでき、誘引された空気を効率よくまとめることができるため好ましく、数や大きさは複数の誘引空気吸込口２２全体での断面積の合計が誘引空気吹出口２４の断面積と同等か、誘引空気吹出口２４の断面積より大きくなるように備える方が効率よく空気を誘引できるため好ましい。
【００５６】
尚、図示していないが、ボール型ファン１３を卓上設置台１４に例えば斜めに載せた際、ボール型ファン１３の吸込口１６又は誘引空気吸込口２２が卓上設置台１４の支持面２８と重ならない場合は、前述に記載した通り、外気は直接、吸込口１６及び誘引空気吸込口２２に吸引されて送風されることとなる。
【００５７】
一方、ボール型ファン１３の吸込口１６又は誘引空気吸込口２２の一部又は全部が卓上設置台１４の支持面２８と重なる場合、外気はまず、支持部２７に設けた外部開口部３２から取り入れられ、設置台風路３４を通過して支持面開口部３３に流れた後、吸込口１６又は誘引空気吸込口２２に吸引される。更に、設置台風路３４中に設けたフィルター３５により吸込空気が浄化される。
【００５８】
上記構成により実現される本発明の送風装置１１の風向変更する様子を図３（ａ）、（ｂ）、（ｃ）に示す。
【００５９】
図３（ａ）、（ｂ）、（ｃ）に示すように、ボール型ファン１３と卓上設置台１４を分離可能にしたことにより、使用者がボール型ファン１３を卓上設置台１４に載せる位置や角度によって自由に風向を変えられるため、複雑な風向変更機構を要することなく装置をコンパクト化できるという効果が得られる。また、風向を変更する際に変更範囲が限りなく広くなる、すなわち自由度が高いため、使い勝手が良いという効果が得られる。
【００６０】
図３（ａ）に示すように、ボール型ファン１３を卓上設置台１４に設置する際、吹出口２０が上方を向くように設置することができ、使用者が風を直接当たりたくない時や、居室内の空気を撹拌したい時などに有効である。
【００６１】
また、図３（ｂ）に示すように、ボール型ファン１３を卓上設置台１４に設置する際、吹出口２０が水平方向を向くように設置することができ、使用者が直接風を当たりたい時などに有効である。
【００６２】
また、図３（ｃ）に示すように、ボール型ファン１３を卓上設置台１４に設置する際、吹出口２０が下方を向くように設置することができ、下方に吹き降ろす風によって対象物を冷ますような使い方ができる。
【００６３】
ここで、ボール型ファン１３と卓上設置台１４が例えばロープやチェーンなどの結束手段によって連結されていても、ボール型ファン１３を卓上設置台１４に載せる位置や角度を変えられるように結束手段の長さを十分確保し、風向を変更できるように構成していれば特に問題は無い。
【００６４】
また、更なる効果として、吸込口１６又は誘引空気吸込口２２の一部又は全部が卓上設置台１４の支持面２８と重なる場合であっても、外部開口部３２と、設置台風路３４と、支持面開口部３３を設けているため、ボール型ファン１３の卓上設置台１４への置き方に関わらず送風性能を維持することができる。
【００６５】
更に、卓上設置台１４の支持部２７が略水平方向に回転自在であるため、使用者はボール型ファン１３を卓上設置台１４に置いたまま風向を変更することができるため、より使い勝手を向上させることができるという効果が得られる。
【００６６】
ここで、ボール型ファン１３を自動で回転動作や首振り動作可能なように、支持部２７又は基部２９に駆動モータを内蔵させることも可能である。
【００６７】
また、高さ調整手段３６としてのスライド機構を用いた伸縮自在のポールにより、支持部２７の高さを変更してボール型ファン１３の設置高さを変更できる。これにより、上下左右の風向変更だけでなく、風の吹き出し高さも変更できるため、気流のバリエーションを増やすことができ、より使い勝手を向上させることができるという効果が得られる。
【００６８】
また、外部開口部３２にフィルター３５を設けたことにより、ボール型ファン１３の吸込口１６又は誘引空気吸込口２２の一部又は全部が卓上設置台１４の支持面２８と重なる場合、外部開口部３２から取り入れた外気をフィルター３５によって浄化することでファンモータ１９への汚れ付着を抑制でき、送風性能が低下しにくい送風装置１１を提供できるという効果がある。
【００６９】
フィルター３５の設置箇所は外部から吸込口１６までの経路中に設置すれば良いため、設置台風路３４又は支持面開口部３３に設けても同様の効果が得られる。
【００７０】
本発明によれば、外部開口部３２の位置は側面に限らず、外部に開口していればいずれの場所に設置しても、作用、効果は変わることが無い。
【００７１】
なお、本実施形態では、回転や高さ調整のため、基部２９を必須としたが、基部２９を設けず、支持部２７のみであっても、ボール型ファンを卓上設置台に載せる位置や角度によって上下左右、自由に風向を広く変更することができるため、風向を変更するために複雑な機構を設けることなく、送風装置をコンパクト化でき、使い勝手の良い送風装置を提供できる。
【００７２】
尚、吸込口１６が支持部２７に設けた支持面２８よりも十分大きい場合、一例として、吸込口１６の面積が支持面２８の面積の５倍以上であれば、支持部２７に外部開口部３２、及び支持面開口部３３、及び設置台風路３４は設けなくても送風性能への影響は十分小さいため、問題はない。
【００７３】
（実施の形態２）
本実施の形態２において、実施の形態１と同様の構成要素については同一の符号を付し、その詳細な説明は省略する。
【００７４】
また、図４に示す本発明の実施の形態２の送風装置１１は、実施の形態１の卓上設置台１４の別形態であり、ボール型ファン１３の構成は実施の形態１と同様であるため、ボール型ファン１３に関する説明は省略する。
【００７５】
図４に示すように、外形形状が円筒形の支持部２７は、上面に支持面２８及び支持面開口部３３を、下面に外部開口部３２を設け、且つ、外部開口部３２を閉塞しないように支持部２７の外周近傍に３箇所の取付足３７を設けている。卓上設置台１４は、支持部２７と取付足３７により構成している。支持部２７の設置台風路３４は下方の外部開口部３２から上方の支持面開口部３３に向かう経路となっている。外部開口部３２にはフィルター３５（図示せず）を設置している。
【００７６】
上記構成において、取付足３７の取付間隔の空間で外部開口であっても、同様の作用、効果を得ることができる。
【００７７】
なお、３箇所の取付足３７の本数は支持部２７を保持できれば４本以上であっても良い。また、取付足３７の高さ、及び大きさについては、取付足３７の取付間隔の空間に十分な面積を確保していれば良く、望ましくは外部開口部３２と同等以上とした方が良い。
【００７８】
本実施の形態２について、ボール型ファン１３を水平方向に回転する機能、及び、高さ位置を調整できる機能を省略した構成となっているが、必要に応じて構成部品を追加することで、前述の機能を追加することが可能である。
【００７９】
（実施の形態３）
本実施の形態３において、実施の形態１と同様の構成要素については同一の符号を付し、その詳細な説明は省略する。
【００８０】
また、図５に示す本発明の実施の形態３の送風装置１１は、実施の形態１の卓上設置台１４の別形態であり、ボール型ファン１３の構成は実施の形態１と同様であるため、ボール型ファン１３に関する説明は省略する。
【００８１】
図５に示すように、外形形状を四角柱とした支持部２７は、支持部２７上面の外周の内側に支持面２８を設け、支持面２８の内側に支持面開口部３３を有している。また、支持部２７上面の外周と支持面２８との間に、外部に開口した外部開口部３２を設け、外部開口部３２と支持面開口部３３を連通する設置台風路３４を支持部２７の内部に設けている。卓上設置台１４は、支持部２７のみで構成している。外部開口部３２にはフィルター３５（図示せず）を設置している。
【００８２】
上記構成であっても、同様の作用、効果を得ることができる。
【００８３】
本実施の形態３について、ボール型ファン１３を水平方向に回転する機能、及び、高さ位置を調整できる機能を省略した構成となっているが、必要に応じて構成部品を追加することで、前述の機能を追加することが可能である。
【００８４】
（実施の形態４）
本実施の形態４において、実施の形態１と同様の構成要素については同一の符号を付し、その詳細な説明は省略する。
【００８５】
また、図６に示す本発明の実施の形態２の送風装置１１は、卓上設置台１４の別形態であり、ボール型ファン１３の構成は実施の形態１と同様であるため、ボール型ファン１３に関する説明は省略する。
【００８６】
図６に示すように、本発明の実施の形態２の卓上設置台１４は、一例として外形形状を円筒形とした支持部２７の上面に、ボール型ファン１３を載せて置いた際に不連続に接触して支持できるように、一例として馬蹄形状とした支持面２８を有し、支持部２７の下方に支持部２７を保持する基部２９で構成している。馬蹄形状とした支持面２８の切欠き部分は、支持部２７の側面まで空間で繋がった隙間３８を有する構成となっている。
【００８７】
卓上設置台１４は、ボール型ファン１３と分離可能に構成しており、それぞれ独立している。
【００８８】
また、本発明と実施の形態１と同様に、支持部２７に回転軸３０（図示せず）及び軸受３１（図示せず）を用いて回転自在に構成している。更に、ボール型ファン１３の設置高さを変更できるように高さ調整手段３６（図示せず）を設けている。
【００８９】
また、支持面２８は、筐体１２の外表面と面接触するようにしても良いし、線接触又は点接触するようにしても良い。
【００９０】
上記構成により、ボール型ファン１３を卓上設置台１４に載せた際、ボール型ファン１３の吸込口１６又は誘引空気吸込口２２が卓上設置台１４の支持面２８と重なる場合であっても、ボール型ファン１３の筐体１２の外表面に対して支持面２８が不連続である、すなわち、支持面２８以外の場所に外部と連通する隙間３８を存在させ、その隙間３８を通過して外気を吸込口１６又は誘引空気吸込口２２へ導入できるため、ボール型ファン１３の卓上設置台１４への置き方に関わらず送風性能を維持することができる。
【００９１】
また、実施の形態１と同様に、ボール型ファン１３と卓上設置台１４を分離可能にしたことにより、使用者がボール型ファン１３を卓上設置台１４に載せる位置や角度によって自由に風向を変えられるため、複雑な風向変更機構を要することなく装置をコンパクト化できるという効果が得られる。また、風向を変更する際に変更範囲が限りなく広くなる、すなわち自由度が高いため、使い勝手が良いという効果が得られる。更に、卓上設置台１４の支持部２７が略水平方向に回転自在であるため、使用者はボール型ファン１３を卓上設置台１４に置いたまま風向を変更することができるため、より使い勝手を向上させることができるという効果が得られる。
【００９２】
ここで、ボール型ファン１３を自動で回転動作や首振り動作可能なように、支持部２７又は基部２９に駆動モータを内蔵させることも可能である。
【００９３】
また、ボール型ファン１３の設置高さを変更できることで、上下左右の風向変更だけでなく、風の吹き出し高さも変更できるため、気流のバリエーションを増やすことができ、より使い勝手を向上させることができるという効果が得られる。
【００９４】
また、本実施形態では、支持面２８がボール型ファン１３の筐体１２の外表面と不連続に接触していれば前述の形態に限定されるものではなく、別の形態であってもその作用、効果は変わらない。
【００９５】
（実施の形態５）
本実施の形態５において、実施の形態１と同様の構成要素については同一の符号を付し、その詳細な説明は省略する。
【００９６】
また、図７に示す本発明の実施の形態５の送風装置１１は、実施の形態４の卓上設置台１４の別形態であり、ボール型ファン１３の構成は実施の形態１と同様であるため、ボール型ファン１３に関する説明は省略する。
【００９７】
図７に示すように、外形形状を円筒形とした支持部２７の上面に、３本の支柱３９を上方に向かって均一高さに設置している。支柱３９の上面には、ボール型ファン１３の筐体１２の外表面を接触させて支持する支持面２８を有する。卓上設置台１４は、支持部２７と支柱３９により構成している。
【００９８】
これによれば、ボール型ファン１３を卓上設置台１４に載せた際、ボール型ファン１３の吸込口１６又は誘引空気吸込口２２が卓上設置台１４の支持面２８と重なる場合であっても、支柱３９と支柱３９の間に外部と連通する隙間３８が存在し、その隙間３８を通過して外気を吸込口１６又は誘引空気吸込口２２へ導入できるため、ボール型ファン１３の卓上設置台１４への置き方に関わらず送風性能を維持することができ、同様の作用、効果がある。
【００９９】
本実施の形態５について、ボール型ファン１３を水平方向に回転する機能、及び、高さ位置を調整できる機能を省略した構成となっているが、必要に応じて構成部品を追加することで、前述の機能を追加することが可能である。
【０１００】
（実施の形態６）
本実施の形態６において、実施の形態１と同様の構成要素については同一の符号を付し、その詳細な説明は省略する。
【０１０１】
また、図８に示す本発明の実施の形態６の送風装置１１は、実施の形態４の卓上設置台１４の別形態であり、ボール型ファン１３の構成は実施の形態１と同様であるため、ボール型ファン１３に関する説明は省略する。
【０１０２】
図８に示すように、支持部２７に設けた３本の支柱３９の上端に、それぞれの支柱３９同士を一定のたるみを持たせて渡すようにしたネット４０を着脱可能に設けている。支柱３９とネット４０の位置関係は、ボール型ファン１３をネット４０の上に載せられるように、支柱３９の配置はボール型ファン１３の中心から略等配位置で且つ、支柱３９の上端が筐体１２に接触しないように外側に張り出した位置に設けている。卓上設置台１４は、支持部２７、支柱３９、ネット４０により構成している。
【０１０３】
また、ネット４０は空気が通過する際に埃等を捕集できるような目の粗さ（一例として２０メッシュ程度）としている。ネット４０の素材は柔軟性を有する生地やゴム素材等としても良い。
【０１０４】
これによれば、ボール型ファン１３を卓上設置台１４に載せた際、ボール型ファン１３の吸込口１６又は誘引空気吸込口２２が卓上設置台１４の支持面２８と重なる場合であっても、支持面２８はメッシュ状で隙間３８があるため、メッシュの間に外部と連通する隙間３８空間が存在し、その隙間３８空間を通過して外気を吸込口１６又は誘引空気吸込口２２へ導入できるため、ボール型ファン１３の卓上設置台１４への置き方に関わらず送風性能を維持することができ、同様の作用、効果がある。
【０１０５】
本実施の形態６について、ボール型ファン１３を水平方向に回転する機能、及び、高さ位置を調整できる機能を省略した構成となっているが、必要に応じて構成部品を追加することで、前述の機能を追加することが可能である。
【産業上の利用可能性】
【０１０６】
本発明にかかる送風装置は、複雑な機構を用いることなく、コンパクトな構成で上下左右、自由に風向を変更することができる送風装置を提供できるため、居室内の机上、床面などに設置され、直接気流による体感温度の減少や室内の空気の循環に使用される各種送風機器等、温風による暖房機器等として有用である。
【符号の説明】
【０１０７】
１１    送風装置
１２    筐体
１３    ボール型ファン
１４    卓上設置台
１５ａ  外壁
１５ｂ  内壁
１６    吸込口
１７    ファン
１８    モータ
１９    ファンモータ
２０    吹出口
２１    第一風路
２２    誘引空気吸込口
２３    誘引空気混合部
２４    誘引空気吹出口
２５    第二風路
２６    貫通壁
２７    支持部
２８    支持面
２９    基部
３０    回転軸
３１    軸受
３２    外部開口部
３３    支持面開口部
３４    設置台風路
３５    フィルター
３６    高さ調整手段
３７    取付足
３８    隙間
３９    支柱
４０    ネット
１０１  羽根車
１０２  モータ
１０３  送風部
１０４  上下角度調節機構
１０５  左右首振り機構
１０６  本体支柱
１０７  水平回転軸
１０８  アーム
１０９  鉛直回転軸
１１０  モータ出力軸
１１１  首振り用モータ
１１２  リンク機構
２０１  送風機組立体
２０２  スタンド
２０３  中央開口部
２０４  環状ノズル
２０５  ファンモータ
２０６  左右首振り機構
２０７  首振り用モータ
２０８  クランクアーム機構
２０９  スライド機構
３０１  温風機本体
３０２  ファンモータ
３０３  バーナー
３０４  タンク
３０５  外気吸込口
３０６  温風吹出口
３０７  ルーバー機構
３０８  風向変更板
３０９  リング部
３１０  操作ノブ
【図１】
2014005787.tif 000003
【図２】
2014005787.tif 000004
【図３】
2014005787.tif 000005
【図４】
2014005787.tif 000006
【図５】
2014005787.tif 000007
【図６】
2014005787.tif 000008
【図７】
2014005787.tif 000009
【図８】
2014005787.tif 000010
【図９】
2014005787.tif 000011
【図１０】
2014005787.tif 000012
【図１１】
2014005787.tif 000013
【図１２】
2014005787.tif 000014
【図１３】
2014005787.tif 000015